(57)【特許請求の範囲】
【請求項１】
窓孔を有する表面部と、該表面部に所定間隔の平行折線を介して連続する裏面部と、該裏面部に連続する連結部と、該連結部にさらに連続する支持部と、前記表面部に連結部とは反対側に平行折線と同間隔の第２の平行折線を介して連続するのりしろ部とからなる卓上ホルダーを備えている表紙紙片と、
該表紙紙片を上にして順に重合された１月から１２月の所定枚数のカレンダ頁紙片と、
該表紙紙片とカレンダ頁紙片の一端を綴じる綴じ具とを備えていることを特徴とするカレンダ。
【請求項２】
窓孔を有する表面部と、該表面部に所定間隔の平行折線を介して連続する裏面部と、該裏面部に連続する連結部と、該連結部にさらに連続する支持部と、前記表面部に連結部とは反対側に平行折線と同間隔の第２の平行折線を介して連続するのりしろ部とからなる卓上ホルダーと、該卓上ホルダーの収容部に挿入されて傾斜状に保持される所定枚数のカレンダ本文とを備えている表紙紙片と、
該表紙紙片を上にして順に重合された１月から１２月の所定枚数のカレンダ頁紙片と、
該表紙紙片とカレンダ頁紙片の一端を綴じる綴じ具とを備えていることを特徴とするカレンダ。
【請求項３】
卓上ホルダーは、支持部を裏面部の後方に折返し、裏面部とのりしろ部を表面部のすぐ後方に重なるように前記平行折線及び前記第２の平行折線をともに山折りして表面部と裏面部の間に収容部を作り、支持部に設けた舌部を裏面部の切込みに挿入すると共に、のりしろ部を裏面部と貼着させてなることを特徴とする請求項１又は２に記載のカレンダ。
【発明の詳細な説明】
【技術分野】
【０００１】
本発明は、壁などに吊り下げて使用されるカレンダに関する。
【背景技術】
【０００２】
従来から、カレンダは、業者の販売促進用品や顧客獲得用品等の宣伝用品として用いられてきた。同様にして、卓上に置いて使用される卓上ホルダー、卓上カレンダ、写真立て等についても、宣伝用品として用いられてきている（特許文献１参照）。
【０００３】
かかるカレンダ、卓上ホルダー、卓上カレンダを、消費者に配布する場合、予め封筒や帯封を作成又は購入し、作成又は購入した封筒や帯封の中に、それぞれを個別にカレンダ、卓上ホルダー、又は卓上カレンダを挿入して配布している。
【特許文献１】実公平２−４７０３４号公報（第１頁）
【発明の開示】
【発明が解決しようとする課題】
【０００４】
しかしながら、前記カレンダ、卓上ホルダー、卓上カレンダを消費者に配布する場合、それぞれについて、封筒や帯封を作成又は購入するために費用が発生し、また、封筒や帯封の中にそれぞれを個別に挿入する作業で費用が発生し、カレンダ等を配布する側の負担になっていた。
【０００５】
一方、近年では地球環境への配慮が注目されている。カレンダの使用においては、使用者は、一般に新年が明けると、その年のカレンダの表紙を殆ど使用開始とともに切り離し、廃棄している。かかる表紙を有効活用できれば、幾分でも紙資源の有効利用が図れる。
【０００６】
そこで、本発明は、このような問題点に鑑みてなされたものであり、表紙を有効活用して１つのカレンダで月めくりカレンダと卓上ホルダー又は卓上カレンダの使用をすることができるようにすることで、配布する側の負担、費用を低減でき、かつ、幾分でも紙資源を有効利用することができるカレンダを提供することを目的とする。
【課題を解決するための手段】
【０００７】
請求項１記載のカレンダは、窓孔を有する表面部と、該表面部に所定間隔の平行折線を介して連続する裏面部と、該裏面部に連続する連結部と、該連結部にさらに連続する支持部と、前記表面部に連結部とは反対側に平行折線と同間隔の第２の平行折線を介して連続するのりしろ部とからなる卓上ホルダーを備えている表紙紙片と、該表紙紙片を上にして順に重合された１月から１２月の所定枚数のカレンダ頁紙片と、該表紙紙片とカレンダ頁紙片の一端を綴じる綴じ具とを備えているところに特徴を有する。
【０００８】
請求項２記載のカレンダは、窓孔を有する表面部と、該表面部に所定間隔の平行折線を介して連続する裏面部と、該裏面部に連続する連結部と、該連結部にさらに連続する支持部と、前記表面部に連結部とは反対側に平行折線と同間隔の第２の平行折線を介して連続するのりしろ部とからなる卓上ホルダーと、該卓上ホルダーの収容部に挿入されて傾斜状に保持される所定枚数のカレンダ本文とを備えている表紙紙片と、該表紙紙片を上にして順に重合された１月から１２月の所定枚数のカレンダ頁紙片と、該表紙紙片とカレンダ頁紙片の一端を綴じる綴じ具とを備えているところに特徴を有する。
【０００９】
請求項３記載のカレンダは、請求項１又は２に記載のカレンダにおいて、卓上ホルダーは、支持部を裏面部の後方に折返し、裏面部とのりしろ部を表面部のすぐ後方に重なるように平行折線及び第２の平行折線をともに山折りして表面部と裏面部の間に収容部を作り、支持部に設けた舌部を裏面部の切込みに挿入すると共に、のりしろ部を裏面部と貼着させてなるところに特徴を有する。
【発明の効果】
【００１０】
請求項１記載のカレンダによれば、窓孔を有する表面部と、該表面部に所定間隔の平行折線を介して連続する裏面部と、該裏面部に連続する連結部と、該連結部にさらに連続する支持部と、前記表面部に連結部とは反対側に平行折線と同間隔の第２の平行折線を介して連続するのりしろ部とからなる卓上ホルダーを備えている表紙紙片と、該表紙紙片を上にして順に重合された１月から１２月の所定枚数のカレンダ頁紙片と、該表紙紙片とカレンダ頁紙片の一端を綴じる綴じ具とを備えているので、前記表紙紙片を有効活用して１つのカレンダで月めくりカレンダと卓上ホルダーの使用をすることができ、配布する側の負担、費用を低減でき、かつ、幾分でも紙資源を有効利用することができるという効果を奏する。
【００１１】
請求項２記載のカレンダによれば、窓孔を有する表面部と、該表面部に所定間隔の平行折線を介して連続する裏面部と、該裏面部に連続する連結部と、該連結部にさらに連続する支持部と、前記表面部に連結部とは反対側に平行折線と同間隔の第２の平行折線を介して連続するのりしろ部とからなる卓上ホルダーと、該卓上ホルダーの収容部に挿入されて傾斜状に保持される所定枚数のカレンダ本文とを備えている表紙紙片と、該表紙紙片を上にして順に重合された１月から１２月の所定枚数のカレンダ頁紙片と、該表紙紙片とカレンダ頁紙片の一端を綴じる綴じ具とを備えているので、前記表紙紙片を有効活用して１つのカレンダで月めくりカレンダと卓上ホルダーとカレンダ本文とからなる卓上カレンダの使用をすることができ、配布する側の負担、費用を低減でき、かつ、幾分でも紙資源を有効利用することができるという効果を奏する。
【００１２】
請求項３記載の卓上ホルダーによれば、請求項１又は２に記載のカレンダの奏する効果に加えて、卓上ホルダーは、支持部を裏面部の後方に折返し、裏面部とのりしろ部を表面部のすぐ後方に重なるように平行折線及び第２の平行折線をともに山折りして表面部と裏面部の間に収容部を作り、支持部に設けた舌部を裏面部の切込みに挿入すると共に、のりしろ部を裏面部と貼着させてなるので、環境に優しい紙のみからなり、製造が簡単であって、しかも自立可能に組み立てる前は完全な扁平状であり、カレンダと卓上ホルダーとが１つに結合された状態であるので、これにより、嵩張って邪魔になることを防止することができるという効果を奏する。
【発明を実施するための最良の形態】
【００１３】
以下、本発明を実施するための最良の形態を図面を用いて説明するが、本発明の趣旨を越えない限り何ら以下の例に限定されるものではない。図１〜６は、いわゆる月めくりカレンダと、組立可能な卓上カレンダとの機能を共用した本発明のカレンダを示す斜視図である。
【００１４】
図１は本発明のカレンダの一実施例を示す斜視図である。カレンダ１００は、壁などに吊り下げて使用されるのに好適なものである。カレンダ１００は、丁合した複数枚の紙片１，２，・・・，２の上端縁を、厚紙等の非金属製綴じ具３を使用して綴合してある。
【００１５】
複数枚の紙片１，２，・・・，２は、表紙紙片１と、表紙紙片１を上にして順に重合された１月から１２月の所定枚数のカレンダ頁紙片２，・・・，２とから構成される。すなわち、各カレンダ頁紙片２は、１頁につき１つの月の割当てがされており、合計１２枚からなる。
【００１６】
綴じ具３は、表紙紙片１及びカレンダ頁紙片２よりも厚紙で構成してあり、断面略コ字状にカレンダ１００の上端縁に設けられるものである。
【００１７】
図２はカレンダの分解斜視図である。カレンダ１００は、図２に示すように、１２ヶ月分のカレンダ頁紙片２，・・・，２と表紙紙片１との丁合をとった後に、カレンダ１００の上端縁（天の部分）に沿って複数の切り欠きを入れて、これらの切り欠きにホットメルトタイプの接着剤を流し込んでから、紙片１，２，・・・，２の上端縁に背カバーとしての綴じ具３の表裏両辺を接着して取り付けてある。なお、上縁部には、吊下げ用の孔３ａが形成してある。
【００１８】
表紙紙片１は、各カレンダ頁紙片２より厚紙の１枚のシートからなる。表紙紙片１に、組立式の卓上ホルダー１０の展開図と、組立完成後の卓上ホルダー１０の収容部に挿入されて傾斜状に保持される所定枚数のカレンダ本文２０，・・・，２０とを配列形成してある。
【００１９】
卓上ホルダー１０の展開図は、表紙紙片１の下方約３分の１以下の専有面積部分に配設してある。特にこの専有面積は、全体の１５％〜２５％が好ましい。こうすることで、他の部分にこれに対応する大きさのカレンダ本文２０を形成でき、卓上ホルダー１０を卓上カレンダとして使用することができるからである。
【００２０】
その構成は、破線を設けて形成した窓孔１１ａを有する表面部１１と、表示部１１に所定間隔の平行折線１６を介して連続する裏面部１２と、これと同一方向に裏面部１２に連続する連結部１３と、連結部１３にさらに同一方向に連続する支持部１４と、表面部１１に連続する連結部１３とは反対側に平行折線１６と同間隔の第２の平行折線１７を介して連続するのりしろ部１５とからなる。
【００２１】
支持部１４には、背面部１２との連結のための舌部１４ａが設けてあり、背面部１２には、舌部１４ａを挿入して支持部１４との係合連結をする切込みのための係合孔用破線１２ａが設けてある。
【００２２】
表面部１１と裏面部１２との間に設けた２本の平行折線１６と、表面部１１とのりしろ部１５との間に設けた２本の平行折線１７とを設けたのは、組立後の卓上ホルダー１０にカレンダ本文２０を収納するための収納部を形成するためである。なお、裏面部１２と連結部１３、連結部１３と支持部１４との境界には、それぞれ一本で構成される折線１９が設けてある。
【００２３】
また、表紙紙片１には、卓上ホルダー１０の分割を容易にする少なくとも一本のミシン目からなる破線１８を設けてある。破線１８は、卓上ホルダー１０の展開図とこれ以外との境界に設けてあり、狭間隔のミシン目で、かつ、無終端で、卓上ホルダー１０の展開図を囲うように形成してある。
【００２４】
一方、カレンダ本文２０は、表紙紙片１の上方約３分の２の専有面積部分に設けてある。この部分に、１月から１２月までの１２枚の各カレンダ本文２０が、縦４×横３の行列配列で互いに隙間なく連続して配列してある。
【００２５】
カレンダ本文２０の大きさは、その横幅が、カレンダ頁紙片２の横幅の３分の１の大きさであり、その縦幅が、カレンダ頁紙片２の横幅のおよそ１３％〜１７％の範囲内にしてある。これにより、表紙紙片１の切れ残りを極力少なくでき、紙資源を有効活用できる。なお、各カレンダ本文２０と裏面部１２とは略同程度の大きさである。
【００２６】
また各カレンダ本文２０のそれぞれの境界には、各カレンダ本文２０の分割を容易にする複数本の直線状のミシン目からなる破線２１が縦横に設けてある。カレンダ本文２０と余白との境界には直線状の破線２２，２３が形成してある。破線２１，２２，２３は、卓上カレンダ１０の破線より広間隔のミシン目である。
【００２７】
次に、カレンダ１００の表紙紙片１を活用した卓上カレンダの組立方法について図３〜６を参照して説明する。図３は、カレンダ１００の表紙紙片１からカレンダ本文２０を分割した状態を示す図である。
【００２８】
図４は、このカレンダ１００の表紙紙片１から卓上ホルダー１０の展開図を分割した状態を示す図である。図５は、この卓上ホルダーの展開図を組み立てた状態を示す側面図である。図６は、組み立て後の卓上カレンダを示す斜視図である。
【００２９】
まず、図３に示すように、１月から１２月までのカレンダ本文２０を破線２２に沿って切り分け、カレンダ本文２０を表紙紙片１から分割する。
【００３０】
ついで、図４に示すように、表紙紙片１から卓上ホルダー１０を分割する。表紙紙片１の残部分から卓上ホルダー１０の展開図部分を、破線１８に沿って切り分け、表紙紙片１から分割する。
【００３１】
さらに、窓孔１１ａをくり抜き、切り取った卓上ホルダー１０の展開図を、図示しないが、折線１１，１２，１４に沿ってそれぞれ折り曲げ、卓上ホルダー１０を組み立てる。まず、支持部１４を折線１９に沿って裏面部１２の後方に折返す。
【００３２】
さらに、裏面部１２とのりしろ部１５を表面部１１のすぐ後方に重なるように表面部１１と裏面部１２との間の平行折線１６と、表面部１１とのりしろ部１５との間の平行折線１７をともに山折りして表面部１１と裏面部１２の間に収容部を作る。
【００３３】
そして、支持部１４の舌部１４ａを裏面部１２の係合孔用破線１２ａの切込みに挿入すると共に、のりしろ部１５を裏面部１２に貼着させて、卓上ホルダー１０の組立てが完了する。
【００３４】
一方で、破線２１に沿って各カレンダ本文２０を切り分け、１２枚のカレンダ本文２０に分割する。さらに、組み立てた卓上ホルダー１０に、切り分けた各月のカレンダ本文２０を収容部の左右いずれかから差し込んで、図５，６に示すように、卓上カレンダが完成する。
【００３５】
以上説明したカレンダ１００によれば、表紙紙片１を有効活用して１つのカレンダ１００で月めくりカレンダと卓上ホルダー１０の使用をすることができ、配布する側の負担、費用を低減でき、かつ、幾分でも紙資源を有効利用することができる。利用する側（使用者側）でも紙資源を有効活用しているとの認識をもてる。
【００３６】
また、卓上ホルダー１０の収容部に挿入されて傾斜状に保持される所定枚数のカレンダ本文２０を備えているので、これを卓上ホルダー１０に収納して卓上カレンダとして使用できるので、１つのカレンダ１００で月めくりカレンダと卓上カレンダとを使用することができる。
【００３７】
すなわち、表紙紙片１を有効活用して１つのカレンダ１００で月めくりカレンダと卓上ホルダー１０とカレンダ本文２０とからなる卓上カレンダの使用をすることができ、配布する側の負担、費用を低減でき、かつ、幾分でも紙資源を有効利用することができる。
【００３８】
さらに、環境に優しい紙のみからなり、製造が簡単であって、しかも自立可能に組み立てる前は完全な扁平状であり、カレンダ１００と、卓上ホルダー１０及びカレンダ本文２０とが１つに結合された状態であるので、これにより、嵩張って邪魔になることを防止することができる。
【００３９】
卓上ホルダー１０の分割を容易にする少なくとも一本のミシン目からなる破線１８を、カレンダ１００の表紙紙片１に設けてあるので、卓上ホルダー１０の分割が容易である。
【００４０】
また、各カレンダ本文２０の境界には、各カレンダ本文２０の分割を容易にする複数本の直線状のミシン目からなる破線２１が縦横に設けてあるので、カレンダ本文２０の分割が容易である。
【００４１】
環境に優しい紙のみからからなるカレンダ１００の表紙を用い、製造と使用が簡単で紙資源の有効利用を図ることができる。
【００４２】
以上、本発明のカレンダ１００についての最良の形態を、実施例に基づいて説明したが、本発明は上記実施例に記載した構成に限定されるものではなく、その趣旨を逸脱しない範囲において適宜その構成を変更することができる。
【００４３】
たとえば、カレンダの表紙紙片に、Ｌサイズの写真の大きさからなる背面部とこれに対応する大きさの各構成からなる卓上ホルダーを設けても良い。この場合には、紙のみからなる卓上ホルダーを写真立てとして使用することができる。
【産業上の利用可能性】
【００４４】
本発明のカレンダは、卓上ホルダーや卓上カレンダなど、販売促進用品や顧客獲得用品等の宣伝用品として用いられるものに適用することができ、配布する側の負担、費用の低減が要請されるあらゆる産業分野に用いることができる。
【図面の簡単な説明】
【００４５】
【図１】本発明のカレンダの一実施例を示す斜視図である。
【図２】上記実施例のカレンダの分解斜視図である。
【図３】このカレンダの表紙からカレンダ頁を分割した状態を示す図である。
【図４】このカレンダの表紙から卓上ホルダー部分を分割した状態を示す図である。
【図５】この卓上ホルダーの展開図を組み立てた状態を示す側面図である。
【図６】組み立て後の卓上カレンダを示す斜視図である。
【符号の説明】
【００４６】
１          表紙紙片
２          カレンダ頁紙片
３          綴じ具
１０        卓上ホルダー
１１        表面部
１１ａ      窓孔
１２        裏面部
１３        連結部
１４        支持部
１５        のりしろ部
１６，１７  平行折線
１８        破線
１９        折線
２０        カレンダ本文
１００      カレンダ
【図１】
0004785498.tif 000002
【図２】
0004785498.tif 000003
【図３】
0004785498.tif 000004
【図４】
0004785498.tif 000005
【図５】
0004785498.tif 000006
【図６】
0004785498.tif 000007